(57)【要約】偏心組立体は、シャフトと、第１および第２の偏心ウエイトと、メンバとを含んでいる。第１および第２の偏心ウエイトは、モータによってシャフトが回転させられるときに振動締固め機のドラム組立体に伝達される振動がそれら第１および第２の偏心ウエイトから発生するように、シャフトに回転可能に連結されている。それら偏心ウエイトはさらに、それら偏心ウエイトが同位相である第１の位置と異位相である第２の位置とにそれら偏心ウエイトを移動させるメンバにより、シャフトに連結されている。それら偏心ウエイトが同位相であるとき、偏心組立体がシャフトまわりの偏心モーメントの最大値を発生させる。シャフトの回転速度が増加して振動周波数が増加するとそれら偏心ウエイトの位相差が増加し、それにより、回転するシャフトによって発生させられる偏心モーメントが減少する。
2004524144.tif 000002
【特許請求の範囲】
【請求項１】
振動締固め機のための偏心組立体であって、
前記振動締固め機におけるドラム組立体に回転可能に搭載され、軸線まわりに回転可能であるシャフトと、
そのシャフトに回転可能に搭載された第１の偏心ウエイトと、
前記シャフトに回転可能に搭載された第２の偏心ウエイトと、
それら第１の偏心ウエイトと第２の偏心ウエイトとに連結されたメンバと
を含み、かつ、
そのメンバが、前記シャフトにスライド可能に搭載され、前記第１の偏心ウエイトと前記第２の偏心ウエイトとが同位相である第１の位置と、それら第１の偏心ウエイトと第２の偏心ウエイトとが異位相である第２の位置との間を移動可能である偏心組立体。
【請求項２】
前記メンバの前記第１の位置と前記第２の位置との間における運動により、前記第１および第２の偏心ウエイトが互いに逆向きに回転させられる請求項１に記載の偏心組立体。
【請求項３】
前記シャフトの回転速度の増加により、前記メンバが前記第１の位置から前記第２の位置に向かって移動して前記第１および第２の偏心ウエイトの位相差が増加する請求項２に記載の偏心組立体。
【請求項４】
前記シャフトの回転速度の減少により、前記メンバが前記第２の位置から前記第１の位置に向かって移動して前記第１および第２の偏心ウエイトの位相差が減少する請求項２に記載の偏心組立体。
【請求項５】
前記メンバが、前記シャフトに対して半径方向に移動する請求項１に記載の偏心組立体。
【請求項６】
前記メンバが、円筒状ロッドである請求項５に記載の偏心組立体。
【請求項７】
前記円筒状ロッドが、前記シャフトを経て延びる請求項６に記載の偏心組立体。
【請求項８】
前記メンバが前記第１の位置にあって前記第１および第２の偏心ウエイトが同位相にある場合に、最大の偏心モーメントが発生する請求項１に記載の偏心組立体。
【請求項９】
前記メンバが前記第２の位置にある場合に、最小の偏心モーメントが発生する請求項１に記載の偏心組立体。
【請求項１０】
前記メンバが、前記第１の位置に向かって付勢されている請求項１に記載の偏心組立体。
【請求項１１】
前記メンバが、コイルスプリングによって前記第１の位置に向かって付勢されている請求項１０に記載の偏心組立体。
【請求項１２】
前記シャフトの回転により、前記メンバに作用する遠心力が発生し、その遠心力は前記付勢力に打ち勝つとともに、前記メンバを前記第１の位置から前記第２の位置に向かって移動させ、それにより、前記第１の偏心ウエイトは一方向に回転し、前記第２の偏心ウエイトは前記第１の偏心ウエイトとは逆方向に回転する請求項１０に記載の偏心組立体。
【請求項１３】
前記シャフトの速度が増加するにつれて前記第１および第２の偏心ウエイトの位相差が増加するようにそれら第１および第２の偏心ウエイトが回転させられる請求項１２に記載の偏心組立体。
【請求項１４】
前記シャフトの回転速度の減少により、前記付勢力が前記メンバに作用する遠心力に打ち勝つことを可能にするとともに、前記メンバが前記第２の位置から前記第１の位置に向かって移動させられ、それにより、前記第１の偏心ウエイトは一方向に回転し、前記第２の偏心ウエイトは、前記第１の偏心ウエイトとは逆方向に回転する請求項１０に記載の偏心組立体。
【請求項１５】
前記シャフトの速度が減少するにつれて前記第１および第２の偏心ウエイトの位相差が減少するようにそれら第１および第２の偏心ウエイトが回転させられる請求項１４に記載の偏心組立体。
【請求項１６】
前記メンバが、第１のリンケージによって前記第１の偏心ウエイトに接続されるとともに、第２のリンケージによって前記第２の偏心ウエイトに接続されている請求項１に記載の偏心組立体。
【請求項１７】
前記第１および第２のリンケージが、前記メンバの一端部に接続されている請求項１６に記載の偏心組立体。
【請求項１８】
前記第１および第２のリンケージが、前記メンバと前記第１および第２の偏心ウエイトとにショルダボルトによって接続され、そのショルダボルトはそのショルダボルトまわりの前記第１および第２のリンケージの回転を可能にする請求項１７に記載の偏心組立体。
【請求項１９】
前記第１および第２の偏心ウエイトが実質的に同じ形状である請求項１に記載の偏心組立体。
【請求項２０】
前記第１および第２の偏心ウエイトが略楔状偏心ウエイトである請求項１９に記載の偏心組立体。
【請求項２１】
前記第１および第２の略楔状偏心ウエイトがそれぞれ、幅狭部と幅広部とを有し、前記メンバが、第１のリンケージによって前記第１の偏心ウエイトの前記幅広部に接続されるとともに、第２のリンケージによって前記第２の偏心ウエイトの前記幅広部に接続されている請求項２０に記載の偏心組立体。
【請求項２２】
前記メンバが、第１の端部と第２の端部とを含み、前記第１の端部が前記第１および第２の偏心ウエイトに接続され、当該偏心組立体が、前記メンバの前記第２の端部に接続されているカウンタウエイトをさらに含む請求項１に記載の偏心組立体。
【請求項２３】
前記メンバが、スプリングによって前記第１の位置に向かって付勢されている請求項２２に記載の偏心組立体。
【請求項２４】
前記スプリングが、前記メンバまわりに位置するとともに、前記カウンタウエイトを前記シャフトに向かって付勢するために、前記シャフトと前記メンバの前記第１の端部との間に位置する請求項２３に記載の偏心組立体。
【請求項２５】
前記メンバが、第１の端部を含み、当該偏心組立体が、前記メンバの前記第１の端部に接続されている第３の偏心ウエイトをさらに含む請求項１に記載の偏心組立体。
【請求項２６】
前記メンバが、スプリングによって前記第１の位置に向かって付勢されている請求項２５に記載の偏心組立体。
【請求項２７】
前記スプリングが、前記メンバまわりに位置するとともに、前記シャフトと前記メンバの第２の端部との間に位置し、前記メンバの前記第２の端部が、前記シャフトの、前記第１の端部とは反対側にあり、それにより、前記スプリングが前記第３の偏心ウエイトを前記シャフトに向かって付勢する請求項２６に記載の偏心組立体。
【請求項２８】
振動締固め機のための偏心組立体であって、
前記振動締固め機におけるドラム組立体に回転可能に搭載され、軸線まわりに回転可能であるシャフトと、
そのシャフトに回転可能に搭載された第１の偏心ウエイトと、
前記シャフトに回転可能に搭載された第２の偏心ウエイトと、
前記シャフトにスライド可能に搭載されたメンバであって、前記シャフトの一側における第１の端部と、前記シャフトの反対側における第２の端部とを有し、かつ、前記第１の端部が前記第１の偏心ウエイトと前記第２の偏心ウエイトとに連結されているものと、
前記メンバの前記第２の端部に接続されているカウンタウエイトと、
前記メンバまわりに位置するとともに、前記カウンタウエイトを前記シャフトに向かって付勢するために、前記シャフトと前記メンバの前記第１の端部との間に位置するスプリングと
を含み、かつ、
前記メンバが、前記第１の偏心ウエイトと前記第２の偏心ウエイトとが同位相である第１の位置と、それら第１の偏心ウエイトと第２の偏心ウエイトとが異位相である第２の位置との間を移動可能である偏心組立体。
【請求項２９】
振動締固め機のための偏心組立体であって、
前記振動締固め機におけるドラム組立体に回転可能に搭載され、軸線まわりに回転可能であるシャフトと、
そのシャフトに回転可能に搭載された第１の偏心ウエイトと、
前記シャフトに回転可能に搭載された第２の偏心ウエイトと、
前記シャフトにスライド可能に搭載されたメンバであって、前記シャフトの一側における第１の端部と、前記シャフトの反対側における第２の端部とを有し、かつ、前記第１の端部が前記第１の偏心ウエイトと前記第２の偏心ウエイトとに連結されているものと、
前記メンバの前記第１の端部に接続されている第３の偏心ウエイトと、
前記メンバまわりに位置するとともに、前記第３の偏心ウエイトを前記シャフトに向かって付勢するために、前記シャフトと前記メンバの前記第２の端部との間に位置するスプリングと
を含み、かつ、
前記メンバが、前記第１の偏心ウエイトと前記第２の偏心ウエイトとが同位相である第１の位置と、それら第１の偏心ウエイトと第２の偏心ウエイトとが異位相である第２の位置との間を移動可能である偏心組立体。
【請求項３０】
振動締固め機のための偏心組立体であって、
前記振動締固め機におけるドラム組立体に回転可能に搭載され、前記振動締固め機の前記ドラム組立体に伝達される振動を発生させるために軸線まわりに回転可能であるシャフトと、
そのシャフトの回転によってそのシャフトまわりに偏心モーメントを発生させるように前記シャフトに回転可能に搭載された第１の偏心ウエイトと、
その第１の偏心ウエイトを前記シャフトまわりに回転させることによって発生する前記偏心モーメントを少なくとも部分的に補完する別の偏心モーメントが前記シャフトの回転によって発生するように、そのシャフトに回転可能に搭載された第２の偏心ウエイトと、
それら第１の偏心ウエイトと第２の偏心ウエイトとに連結されているメンバと
を含み、かつ、
前記メンバが、前記シャフトにスライド可能に搭載され、前記偏心組立体が最大の偏心モーメントを有するように前記第１の偏心ウエイトと前記第２の偏心ウエイトとが同位相である第１の位置と、前記偏心組立体がより小さい偏心モーメントを有するように前記第１の偏心ウエイトと前記第２の偏心ウエイトとが異位相である第２の位置との間を移動可能である偏心組立体。
【発明の詳細な説明】
【技術分野】
【０００１】
本発明は、振動締固め機に関するものであり、特に、振動締固め機のための偏心組立体に関するものである。
【背景技術】
【０００２】
振動締固め機は舗装済または未舗装の地面を平坦化する際に使用される。典型的な振動締固め機は、振動を地面に伝える１個または２個の振動ドラムを含んでいる。偏心組立体は通常１個またはそれ以上の偏心ウエイトを含み、その偏心ウエイトは、その偏心ウエイトをシャフトまわりに回転させることによって発生する振動の振幅を変化させるために、シャフトに対する複数の離散的な半径位置に調節可能である。
【０００３】
調節可能な偏心組立体の一形式は、シャフトの回転速度を変化させることによって作動する。その偏心組立体はシャフトに向かって付勢される１個またはそれ以上の偏心ウエイトを含んでいる。その偏心組立体の作動中、シャフトは回転し、さらに、シャフトの回転速度が増加するにつれて、遠心力が、付勢力に打ち勝ち、偏心ウエイトをシャフトから遠ざかる向きに移動させる。偏心ウエイトがシャフトから遠ざかる向きに移動するにつれて振動の振幅が増加する。
【０００４】
大きな振幅での振動を有する第１のモードと、小さな振幅での振動を有する第２のモードとで作動する装置の別の形式は、シャフトに固定された複数個の偏心ウエイトと、対応する数のカウンタウエイトであってその偏心ウエイトに対してシャフトの反対側に連結されたものとを含んでいる。それらカウンタウエイトは、シャフトの長手軸線に対して、格納位置と突出位置との間で移動可能である。それらカウンタウエイトが格納位置に存在する場合、それらが偏心ウエイトに与える影響が最小となり、その結果、偏心ウエイトの振動振幅が最大となる。カウンタウエイトは通常、格納位置に向かって付勢されているが、シャフトが回転するにつれて、その付勢力は打ち負かされて、カウンタウエイトが、シャフトからさらに離れている格納位置に移動する。カウンタウエイトがシャフトからさらに移動するにつれて、カウンタウエイトが偏心ウエイトの影響を減少させ、その結果、振動の振幅が小さくなる。
【０００５】
上述の偏心組立体は一般的に、振動締固め機内で振動を発生させるために有効である。したがって、そのような偏心組立体に対するいかなる改善も望ましいのである。
【発明の開示】
【０００６】
本発明は、振動締固め機のための偏心組立体に向けられている。本発明の偏心組立体は、ドラムを経由して地面に伝達される振動を発生させるために、モータにより回転させられる。偏心組立体は、高周波振動を発生させるために高速で回転し、そのような高周波での振動の振幅を減少させるように構成されている。高周波振動での振幅を減少させると、振動締固め機における各荷重支持部品の磨耗が最小にされ、その結果、振動締固め機の耐用期間が長くなる。本発明の偏心組立体はさらに、容易に組み立てられ、安価に製造され、そして既存の振動締固め機に容易に適用される。
【０００７】
この偏心組立体は、シャフトと、第１および第２の偏心ウエイトと、メンバとを含んでいる。それら第１および第２の偏心ウエイトは、モータによりシャフトが回転するときにドラムを経由して地面に伝達される振動がそれら第１および第２の偏心ウエイトから発生するように、シャフトに回転可能に連結されている。それら偏心ウエイトはさらに、それら偏心ウエイトが同位相である第１位置とそれら偏心ウエイトが異位相である第２位置とにそれら偏心ウエイトを移動させるメンバにより、シャフトに連結されている。それら偏心ウエイトが同位相であるとき、偏心組立体はシャフトまわりの偏心モーメントの最大値を発生させる。シャフトの回転速度が増加して周波数が増加するにつれて、偏心ウエイトの位相差が増加し、それにより、偏心モーメントを減少させる。高回転速度において偏心モーメントが減少すると、高周波振動についての振動振幅が減少する。
【０００８】
上記メンバは、スプリングにより第１の位置すなわち同位相位置に向かって付勢することが望ましい。シャフトが十分に高い速度で回転しているとき、スプリングにより発生させられる付勢力に打ち勝つ遠心力がメンバに発生し、それにより、メンバが第２の位置すなわち異位相位置に移動して、偏心モーメントが減少する。
【０００９】
本発明の他の特徴および利点は、下記の詳細な説明、特許請求の範囲および図面を検討すれば当業者にとって明らかになる。
【００１０】
本発明の一実施例を詳細に説明する前に、本発明がその適用範囲に関し、下記の詳細な説明に記載されているかまたは図面に表示されている構成の詳細および部品の配置に限定されていないということを理解すべきである。本発明は他の実施例とすることが可能であり、様々な方法で実施または実行することが可能である。さらに、ここに使用される表現と用語は、説明を目的としており、限定として扱うべきではないことを理解すべきである。ここにおける"including（含む）"および "comprising（含む）"とそれらのバリエーションの使用は、以下に記載されるアイテムを包含し、さらに、それとは別のアイテムのみならず、それの均等物も包含する。ここにおける"consisting of（から構成される）"とそれのバリエーションの使用は、以下に記載されるアイテムのみを包括する。方法またはプロセスの複数の要素を特定するための文字の使用は、単に区別を目的とするのであって、それら要素を特定の順序で実施しなければならないことを示すわけではないない。
【発明を実施するための最良の形態】
【００１１】
図１には、本発明に従う振動締固め機１０が示されている。振動締固め機１０は、舗装済または未舗装の地面を平坦化する際に使用される。振動締固め機１０は、フレーム１２と、ドラム組立体１４と、偏心組立体１６とを含んでいる。ドラム組立体１４は、長手軸線１３まわりに回転するために、フレーム１２に搭載されている。
【００１２】
次に図２を参照すると、偏心組立体１６がドラム組立体１４内に回転可能に搭載され、そのドラム組立体１４はフレーム１２に回転可能に搭載されている。モータ１５は、ドラム組立体１４の長手軸線１３と実質的に同軸である回転軸線１８のまわりに偏心組立体１６を回転させる。偏心組立体１６は、その偏心組立体１６の回転により、ドラム組立体１４に伝達させられる振動を発生させる不釣合い質量を含んでいる。
【００１３】
偏心組立体１６は、ベアリング１７（図２にのみ示されている）を両端に搭載するシャフト２０を含んでいる。ベアリング１７は、ドラム組立体１４の内部直径を横断して延びる平行なサポート１９に固定されている。サポート１９はドラム組立体１４のドラム２１に溶接されていて、ドラム組立体１４の長手軸線１３に対して略直角である。作動中、偏心組立体１６が振動を発生させるように、モータ１５が回転軸線１８のまわりにシャフト２０を回転させる。
【００１４】
次に図３ないし図５を参照すると、本発明の一実施例における偏心組立体１６は、シャフト２０に回転可能に搭載された第１の偏心ウエイト２２を含んでいる。第１の偏心ウエイト２２は、楔形を成すことが望ましく、幅狭部２４と幅広部２６とを含んでいる。幅狭部２４は、シャフト２０が通過する穴２８を含んでいる。第１の偏心ウエイト２２は、偏心組立体１６がシャフト２０のまわりに偏心モーメントを有するように、回転軸線１８からある距離離れた位置に重心３０を有している。
【００１５】
偏心組立体１６はさらに、シャフト２０に回転可能に搭載された第２の偏心ウエイト３２を含んでいる。第２の偏心ウエイト３２は第１の偏心ウエイト２２と似た形状（すなわち楔形）を有していることが望ましく、幅狭部３４と幅広部３６とを含んでいる。シャフトは幅狭部３４にある穴３８を経て延びている。第２の偏心ウエイト３２は、もともと第１の偏心ウエイト２２（図４）と共に同位相にあるため、第１の偏心ウエイト２２によって発生させられたシャフト２０まわりの偏心モーメントを増加させるように、回転軸線１８からある距離離れた位置に重心４０を有している。
【００１６】
偏心組立体１６はさらに、第１の偏心ウエイト２２と第２の偏心ウエイト３２との間の位置においてシャフト２０にスライド可能に接続されたメンバ４２を含んでいる。メンバ４２は、回転軸線１８に対して直角な方向にシャフト２０を通過して延びる円筒形のロッドであることが望ましい。メンバ４２は、第１の端部４４と第２の端部４６とを含んでいる。第１の端部４４は第１の偏心ウエイト２２と第２の偏心ウエイト３２とに連結され、一方、第２の端部４６はスプリングリテーナ４８を含んでいる。
【００１７】
メンバ４２は、第１の位置と第２の位置との間において半径方向に移動可能である。そのメンバが第１の位置にあるとき（図４）、第１および第２の偏心ウエイト２２，３２は互いに同位相であり、メンバが第２の位置にあるとき（図５）、第１および第２の偏心ウエイト２２，３２は異位相である。
【００１８】
「同位相である」という用語は、本明細書の全体を通して、第１の偏心ウエイト２２と第２の偏心ウエイト３２とがシャフト２０に関して同じ角度位置に位置するということを示すために用いられる。一例として、偏心ウエイト２２，３２が共に６時の位置に存在する場合、それらの間の角度は０度であり、それらは同位相であるといわれる。同様に、「異位相である」という用語は、シャフト２０に関して、第１の偏心ウエイト２２と第２の偏心ウエイト３２とが互いに異なる角度位置に位置することを示すために用いられる。第１の偏心ウエイト２２が６時の位置にあり、かつ、第２の偏心ウエイト３２が９時の位置にある場合には、それらの間に角度（すなわち９０度）が存在し、それら偏心ウエイト２２，３２は異位相である。
【００１９】
偏心ウエイト２２，３２が同位相である場合には、偏心組立体１６がシャフト２０まわりの最大の偏心モーメントを有する。偏心ウエイト２２，３２の位相差が増加するにつれて、シャフト２０まわりの偏心モーメントが減少する。第１および第２の偏心ウエイト２２，３２が１８０度離れて位置する場合には、第１の偏心ウエイト２２の偏心モーメントが第２の偏心ウエイト３２の偏心モーメントを打ち消すという理由で、偏心組立体１６は最小の偏心モーメントを有する。
【００２０】
メンバ４２の第１の端部４４は、第１のリンケージ５０によって第１の偏心ウエイト２２の幅広部２６に接続され、さらに第２のリンケージ５２によって第２の偏心ウエイト３２の幅広部３６に接続される。それらリンケージ５０，５２は、ショルダーボルト５３まわりのリンケージ５０，５２の回転を可能にするショルダーボルト５３を含むことが望ましい。メンバ４２が前記第１の位置にある場合には、リンケージ５０，５２は、第１および第２の偏心ウエイト２２，３２を同位相に維持し、メンバ４２が前記第２の位置に向かって移動するにつれて、リンケージ５０，５２は第１および第２の偏心ウエイト２２，３２を異位相に移動させる。
【００２１】
図４に明瞭に示されているように、リンケージ５０，５２は互いにほぼ平行であり、さらにメンバ４２にも平行である。第１および第２のリンケージ５０，５２の一端部はメンバ４２の第１の端部４４に連結され、第１および第２のリンケージ５０，５２の他端部はそれぞれ偏心ウエイト２２，３２に連結されている。
【００２２】
図５を参照すると、メンバ４２の第１の端部４４が第１の位置から第２の位置に向かってシャフト２０から遠ざかる向きに移動するにつれて、第１および第２のリンケージ５０，５２の他端部同士が互いに離れ、それにより、第１および第２のカウンタウエイト（偏心ウエイト）２２，３２を異位相に移動させる。
【００２３】
偏心組立体１６はさらに、メンバ４２の第２の端部４６に位置するスプリング５４を含んでいる。スプリング５４はスプリングリテーナ４８とシャフト２０との間に位置する。スプリング５４は、メンバ４２を第１の位置に向かって付勢するコイルスプリングであることが望ましい。
【００２４】
図３ないし図５に明瞭に示されているように、第３の偏心ウエイト５６がメンバ４２の第１の端部４４に連結されている。第３の偏心ウエイト５６はリンケージ５０，５２に干渉しないように構成されている。シャフト２０の回転により、第３の偏心ウエイト５６に遠心力が作用する。シャフト２０の回転速度が増加するにつれて、第３の偏心ウエイト５６に作用する遠心力が、スプリング５４の付勢力に打ち勝って、メンバ４２を第１の位置から第２の位置に向かって移動させるまで増加する。
【００２５】
偏心組立体１６の作動中、メンバ４２が第１の位置にあり、かつ第１および第２の偏心ウエイト２２，３２が同位相である休止状態から、シャフト２０が回転し始める。スプリング５４の付勢力は、様々な部品の物理的構成が許すほどシャフトに近い位置に第３の偏心ウエイト５６を維持する。前述のように、第１および第２の偏心ウエイト２２，３２が同位相である場合、偏心組立体１６は最大の偏心モーメントを有する。モータ１５は、振動締固め機１０に振動を伝達し始めるために、シャフト２０を回転させ始める。偏心組立体１６はいずれの向きにも回転するが、ドラム組立体１４と同じ向きにシャフト２０を回転させることが性能的に有利である。
【００２６】
いったんシャフトが回転し始めると、その回転により発生した遠心力により、第３の偏心ウエイト５６がシャフト２０の回転軸線１８から遠ざかるように付勢される。シャフト２０が十分に高速な速度で回転する場合、第３の偏心ウエイト５６に作用する遠心力がスプリング５４によって付与された付勢力に打ち勝ち、その結果、第３の偏心ウエイト５６がさらにスプリング５４を圧縮して、メンバ４２を第１の位置から遠ざかる向きにスライドさせる。メンバ４２が第１の位置から遠ざかるにつれて、メンバ４２の第１の端部４４がリンケージ５０，５２を移動させ、その結果、第１のリンケージ５０はシャフトまわりの一方向に第１の偏心ウエイト２２を移動させ、第２のリンケージ５２はシャフトまわりの反対方向に第２の偏心ウエイト３２を移動させる。第１および第２の偏心ウエイト５０，５２が互いに異位相に移動することによって、各偏心ウエイト２２，３２が偏心モーメントに与える効果が相殺されるため、偏心組立体１６の偏心モーメントが最大値から減少する。
【００２７】
第３の偏心ウエイト５６は回転軸線１８から半径方向に遠ざかるため、第３の偏心ウエイト５６が実際には偏心モーメントを増加させることに注目すべきである。しかしながら、この増加量は、第１および第２の偏心ウエイト２２，３２を異位相に移動させることによって生じる偏心組立体の偏心モーメントの実質的な減少量に比較すれば、無視できるほど少ない。したがって、第３の偏心ウエイト５６が偏心組立体１６の偏心モーメントを僅かに増加させるにしても、メンバ４２が第１の位置から遠ざかるにつれて全体の偏心モーメントは減少する。
【００２８】
図６ないし図８には、本発明の偏心組立体１６の別の実施例が示されている。本実施例においては、偏心組立体１６が、第１の偏心ウエイト２２と第２の偏心ウエイト３２との間において、シャフト２０にスライド可能に接続されたメンバ６０を含んでいる。メンバ６０は、第１の端部６２と第２の端部６４とを有している。第１の端部６２は、第１および第２の偏心ウエイト２２，３２に連結され、第２の端部６４はカウンタウエイト６６に連結されている。カウンタウエイト６６は、円筒状を成すことが望ましく、ピンによってメンバ６０の第２の端部６４に接続されている。
【００２９】
偏心組立体１６は、メンバ６０の第１の端部６２を第１の偏心ウエイト２２の幅広部２６に接続する第１のリンケージ６８と、メンバ６０の第１の端部６２を第２の偏心ウエイト３２の幅広部３６に接続する第２のリンケージ７０とを含んでいる。メンバ６０が第１の位置にある場合、リンケージ６８，７０は第１および第２の偏心ウエイト２２，３２を同位相に維持する。メンバ６０が第２の位置に向かって動くにつれて、リンケージ６８，７０は第１および第２の偏心ウエイト２２，３２を異位相に移動させる。
【００３０】
図７および図８を参照すると、メンバ６０の第１の端部６２が第１の位置から第２の位置までシャフト２０に向かって移動する場合には、第１および第２のリンケージ６８，７０の互いに対向する端部が互いに離れ、それにより、第１および第２のリンケージ７０，７２の間に角度が形成される。
【００３１】
スプリング７２が、シャフト２０と、メンバ６０の第１の端部６２の近傍に位置するスプリングリテーナ７４との間に位置させられている。スプリング７２は、メンバ６０を第１の位置に向かって付勢するコイルスプリングであることが望ましい。
【００３２】
偏心組立体１６の作動中、モータ１５がシャフト２０を回転させる前においては、メンバ６０は第１の位置にあり、第１および第２の偏心ウエイト２２，３２は同位相にある。スプリング７２の付勢力により、カウンタウエイト６６が可能な限りシャフト２０に接近させられる。モータ１５がシャフト２０を回転させ始めるにつれて、偏心組立体２２，３２が、ドラム組立体１４に伝達される振動を発生し始め、遠心力により、カウンタウエイト６６がシャフト２０の回転軸線１８から遠ざかるように付勢される。シャフト２０が十分に高速度で回転する場合には、カウンタウエイト６６に作用する遠心力がスプリング７２の付勢力に打ち勝ち、それにより、カウンタウエイト６６がさらにスプリング７２を圧縮して、メンバ６０を第１の位置から第２の位置に向かってスライドさせる。メンバ６０が第１の位置から移動するにつれて、メンバ６０の第１の端部６２がリンケージ６８，７０を移動させ、それにより、第１のリンケージ６８は第１の偏心ウエイト２２をシャフト２０まわりの第１方向に移動させ、第２のリンケージ７０は第２の偏心ウエイト３２をシャフト２０まわりの反対方向に移動させる。前述のように、偏心ウエイト２２，３２が異位相に移動するにつれて、シャフト２０まわりの偏心モーメントが最大値から減少する。
【００３３】
カウンタウエイト６６は回転軸線１８から半径方向外向きに移動するため、カウンタウエイト６６は実際には偏心モーメントをさらに減少させることに注目すべきである。しかしながら、カウンタウエイト６６の運動に起因する減少量は、第１および第２の偏心ウエイト２２，３２を異位相に移動させることによって発生する偏心組立体の偏心モーメントの実質的な減少に比較すれば、無視できるほど少ない。
【図面の簡単な説明】
【００３４】
【図１】本発明の偏心組立体を含む振動締固め機の斜視図である。
【図２】図１に示す振動締固め機のドラム組立体の、線２−２に沿った断面図である。
【図３】図２に示すドラム組立体に用いられる偏心組立体を部分的に拡大して示す正面図である。
【図４】図３における線４−４に沿った断面図であって、偏心組立体の偏心ウエイトが同位相にある静止状態における偏心組立体を示すものである。
【図５】図４に類似した断面図であって、偏心ウエイトが異位相にある動的高周波状態における偏心組立体を示すものである。
【図６】偏心組立体の別の実施例を部分的に拡大して示す正面図である。
【図７】図６における線６−６に沿った断面図であって、偏心ウエイトが同位相にある静的状態における偏心組立体を示すものである。
【図８】図７に類似した断面図であって、偏心ウエイトが異位相にある動的高周波状態における偏心組立体を示すものである。
【国際公開パンフレット】
2004524144.tif 000003
2004524144.tif 000004
2004524144.tif 000005
2004524144.tif 000006
2004524144.tif 000007
2004524144.tif 000008
2004524144.tif 000009
2004524144.tif 000010
2004524144.tif 000011
2004524144.tif 000012
2004524144.tif 000013
2004524144.tif 000014
2004524144.tif 000015
2004524144.tif 000016
2004524144.tif 000017
2004524144.tif 000018
2004524144.tif 000019
2004524144.tif 000020
2004524144.tif 000021
2004524144.tif 000022
2004524144.tif 000023
2004524144.tif 000024
2004524144.tif 000025
2004524144.tif 000026
【国際調査報告】
2004524144.tif 000027
2004524144.tif 000028